(57)【要約】【課題】情報表示装置をステップ及び欄干に設けることなく、ステップのライザに情報を表示することができるエスカレーターの提供。【解決手段】本発明に係るエスカレーター１は、ステップ４のライザ４ａに設けた蓄光体１０と、それぞれステップ４の下方に位置する主枠３内に設けられており、主枠３内のステップ４のライザ４ａとの距離を検出し検出信号を出力する距離検出部１１、及び主枠３内のステップ４のライザ４ａの蓄光体１０に向って光を照射するレーザー光照射部１２と、ライザ４ａに表示する情報が記憶された情報記憶部１４と、距離検出部１１から出力された検出信号に応じて、情報記憶部１４に記憶された情報に対応する光をレーザー光照射部１２から照射させる制御を行う制御部１３とを備えている。【選択図】図１
2017206368.tif 000002
【特許請求の範囲】
【請求項１】
乗客を搬送するステップのライザに情報を表示する情報表示装置を有するエスカレーターであって、
前記情報表示装置は、
前記ライザに設けた蓄光体と、
それぞれ前記ステップの下方に位置する主枠内に設けられており、前記主枠内の前記ステップの前記ライザとの距離を検出し検出信号を出力する距離検出部、及び前記主枠内の前記ステップの前記ライザの前記蓄光体に向って光を照射する光照射部と、
前記ライザに表示する情報が設定された情報設定部と、
前記距離検出部から出力された検出信号に応じて、前記情報設定部で設定された情報に対応する光を前記光照射部から照射させる制御を行う制御部とを備えることを特徴とするエスカレーター。
【請求項２】
請求項１に記載のエスカレーターであって、
前記情報設定部は、前記制御部に接続されており、情報データが記憶された情報記憶部から成ることを特徴とするエスカレーター。
【請求項３】
請求項２に記載のエスカレーターであって、
前記制御部及び前記情報記憶部は、機械室内の制御盤に設けられていることを特徴とするエスカレーター。
【請求項４】
請求項３に記載のエスカレーターであって、
前記光照射部は、前記ライザの左右方向にスキャンされるレーザー光を照射するレーザー光照射部から成ることを特徴とするエスカレーター。
【請求項５】
請求項４に記載のエスカレーターであって、
前記距離検出部が前記ライザとの間の最大距離を検出したとき、前記ライザに前記レーザー光照射部が最も近づくように、前記距離検出部と前記レーザー光照射部との設置間隔が設定されていることを特徴とするエスカレーター。
【請求項６】
請求項３に記載のエスカレーターであって、
前記光照射部は、映像プロジェクタから成ることを特徴とするエスカレーター。
【請求項７】
請求項３に記載のエスカレーターであって、
前記光照射部は、多数のＬＥＤ照明部を有しており、前記ＬＥＤ照明部が選択的に点灯可能なＬＥＤ照射部から成ることを特徴とするエスカレーター。
【請求項８】
請求項１に記載のエスカレーターであって、
前記情報設定部は、前記光照射部と前記主枠内の前記ステップの前記ライザとの間に配置されており、前記ライザの前記蓄光体に向って情報を表示する光を透過させる光透過部を有する情報スクリーンから成ることを特徴とするエスカレーター。
【発明の詳細な説明】
【技術分野】
【０００１】
本発明は、ステップのライザに情報を表示する情報表示装置を備えたエスカレーターに関する。
【背景技術】
【０００２】
エスカレーターは、大量の乗客を効率的に異なる階床へ輸送する手段として、駅などの交通機関やデパートなどの流通機関で用いられている。このエスカレーターを利用する乗客に対して安全に関連する注意勧告や広告などの各種の情報を表示する記述が求められている。
【０００３】
このような状況に対して、特許文献１には、エスカレーターの欄干内に設けられた光源からの光を意匠面に設けた投光部を介してステップのライザに照射し、広告などの情報を表示する表示装置が開示されている。また、特許文献２には、エスカレーターのステップ内に設けられ、ローターの回転力を利用して発電を行い、この発電した電力を複数の発光素子を備えた表示パネル及び表示制御回路に供給し、発光素子の点滅を制御してステップのライザに情報を表示する表示システムが開示されている。
【先行技術文献】
【特許文献】
【０００４】
【特許文献１】特開２００７−２５４０６１号公報
【特許文献２】特開２０１２−１６６８６５号公報
【発明の概要】
【発明が解決しようとする課題】
【０００５】
特許文献１に開示された従来技術は、ステップ上の乗客によって投光部から照射された光が遮られ、ステップのライザに情報を表示できなくなる場合が起こり得る。また、欄干の意匠面に投光部を設けることから、欄干の意匠性が悪くなる問題がある。
【０００６】
特許文献２に開示された従来技術は、設置領域が狭くて設置作業に制約を受けるステップ内に、発光素子を備えた表示パネル、及び表示制御回路を収容することから、情報表示装置の設置作業が煩雑になり、作業能率の向上を見込み難い。また、表示パネルや表示制御回路が故障した際には、ステップを取り外す大掛かりな作業が必要になり、保守作業が煩雑になる問題がある。
【０００７】
上記課題を解決するために、本発明の目的は、情報表示装置をステップ及び欄干に設けることなく、ステップのライザに情報を表示することができるエスカレーターを提供することにある。
【課題を解決するための手段】
【０００８】
前記目的を達成するために、本発明に係るエスカレーターは、乗客を搬送するステップのライザに情報を表示する情報表示装置を有するエスカレーターであって、前記情報表示装置は、前記ライザに設けた蓄光体と、それぞれ前記ステップの下方に位置する主枠内に設けられており、前記主枠内の前記ステップの前記ライザとの距離を検出し検出信号を出力する距離検出部、及び前記主枠内の前記ステップの前記ライザの前記蓄光体に向って光を照射する光照射部と、前記ライザに表示する情報が設定された情報設定部と、前記距離検出部から出力された検出信号に応じて、前記情報設定部で設定された情報に対応する光を前記光照射部から照射させる制御を行う制御部とを備えることを特徴としている。
【発明の効果】
【０００９】
本発明に係るエスカレーターによれば、ステップのライザに情報を表示する情報表示装置を比較的簡単に設置でき、この情報表示装置の設置作業の能率を従来よりも向上させることができる。また、情報表示装置が故障した際の保守作業も容易に行うことができる。また、ステップのライザに対する情報表示精度を従来よりも高めることができ、ライザに確実に情報を表示することができる。さらに欄干の意匠面の美観を損なうことなくライザに情報を表示することができる。前述した以外の課題、構成及び効果は、以下の実施形態の説明により明らかにされる。
【図面の簡単な説明】
【００１０】
【図１】本発明に係るエスカレーターの一実施形態の要部を示す図である。
【図２】本実施形態に備えられたステップのライザに設けられた蓄光体を示す横断面図である。
【図３】本実施形態に備えられた情報表示装置の処理動作を説明する図である。
【図４】本実施形態に備えられた情報表示装置によってステップのライザに描かれた情報を示す要部斜視図である。
【発明を実施するための形態】
【００１１】
以下、本発明に係るエスカレーターの実施の形態を図面に基づいて説明する。
【００１２】
図１に示すように、本実施形態に係るエスカレーター１は、低階床２から図示しない高階床に向って上昇する傾斜型乗客コンベアであり、建物の低階床２から高階床にわたって架設される主枠３と、無端状に連結された複数のステップ４とを備えている。ステップ４の側方には欄干５が立設され、欄干５には無端状の移動手摺り６が装着されている。
【００１３】
複数のステップ４全体の下側部分は主枠３内に位置し、上側部分は主枠３の上方に位置しながら、図示しない駆動装置によって循環移動し、ステップ４上の乗客を低階床２から高階床に向って搬送する。
【００１４】
低階床２の乗り口に至ったステップ４は、高階床に向うに従って徐々にライザ４ａを露出させ、ステップ４上の乗客は露出したライザ４ａの目視が可能となる。本実施形態に係るエスカレーター１に備えられた情報表示装置は、ライザ４ａに広告や注意勧告等の情報を表示するものである。
【００１５】
本実施形態に備えられた情報表示装置は、図２に示すようにステップ４のライザ４ａに設けられた蓄光体１０を備えている。また、図１に示すように、それぞれステップ４の下方の主枠３内に設けられており、主枠３内のステップ４のライザ４ａとの距離を検出し検出信号を出力する距離検出部１１、及び主枠３内のステップ４のライザ４ａの蓄光体１０に向って光を照射する光照射部を備えている。また、ライザ４ａに表示する情報が設定された情報設定部と、距離検出部１１から出力された検出信号に応じて情報設定部で設定された情報に対応する光を光照射部から照射させる制御を行う制御部１３とを備えている。
【００１６】
前述した情報設定部は、制御部１３に接続されており、広告、注意勧告等の複数の異なる情報データを記憶する情報記憶部１４から成っている。制御部１３及び情報記憶部１４は、本実施形態に係るエスカレーター１の機械室内に設置された図示しない制御盤の内部に設けられている。
【００１７】
前述した光照射部は、主枠３内に位置するステップ４のライザ４ａの左右方向に、すなわち平面内を考えた場合にステップ４の進行方向と直交する方向にスキャンされるレーザー光を照射するレーザー光照射部１２から成っている。
【００１８】
また、距離検出部１１がライザ４ａとの間の最大距離Ｌｍａｘを検出したとき、ライザ４ａがレーザー光照射部１２に最も近づくように、距離検出部１１とレーザー光照射部１２との設置間隔が設定されている。
【００１９】
このように構成した本実施形態に係るエスカレーター１にあっては、ステップ４が主枠３内を移動する間、図３の下段の図に示すように、主枠３内の複数のステップ４のうちの第１のステップ４のライザ４ａが距離検出部１１から最も離れて、同図３の上段の図に示すように、距離検出部１１によって最大距離Ｌｍａｘが検出されたとき、距離検出部１１からの検出信号が制御部１３に出力される。
【００２０】
制御部１３は、距離検出部１１から出力された検出信号（最大距離Ｌｍａｘ）に応じて、情報記憶部１４に記憶されている複数の情報データのうちの第１の情報データを選択し、その第１の情報データに応じた制御信号をレーザー光照射部１２に出力する。
【００２１】
レーザー光照射部１２は、制御部１３から出力された制御信号に応じて主枠３内の第１のステップ４のライザ４ａの蓄光体１０に対するレーザー光の照射を開始する。同図３の中断の図のＡは、照射開始時点を示している。
【００２２】
そして、照射開始時点Ａの位置を基準位置として、第１のステップ４が距離検出部１１とレーザー光照射部１２との間隔に相応する距離移動したと制御部１３の判別部で判別されたとき、制御部１３はレーザー光の照射を停止させる制御を行う。同図３の中断の図のＢは照射終了時点を示している。これにより、レーザー光照射部１２は、主枠３内の第１のステップ４のライザ４ａの蓄光体１０に対する照射を終了する。
【００２３】
このようにして、第１のステップ４のライザ４ａに、情報記憶部１４に記憶されている第１の情報データに相応する第１の情報である図４に示す「歩行」の文言が蓄光体１０によって表示される。第１のステップ４上の乗客は、第１のステップ４のライザ４ａが現れたとき、第１のステップ４のライザ４ａの第１の情報「歩行」を目視することができる。
【００２４】
また、複数のステップ４のうちの第１のステップ４に隣設された主枠３内の第２のステップ４のライザ４ａとの最大距離Ｌｍａｘが検出されたとき、制御部１３は情報記憶部１４に記憶されている複数の情報データのうちの第１の情報データとは異なる第２の情報データを選択し、その第２の情報データに応じた制御信号をレーザー光照射部１２に出力する。
【００２５】
これにより、第２のステップ４のライザ４ａに第２の情報データに対応する第２の情報である図４に示す「禁止」の文言が蓄光体１０によって表示され、第２のステップ４上の乗客は、第２のステップ４のライザ４ａに表示された第２の情報「禁止」を目視することができる。
【００２６】
同様に、複数のステップ４のうちの第２のステップ４に隣設された主枠３内の第３のステップ４のライザ４ａとの最大距離Ｌｍａｘが検出されたとき、制御部１３は情報記憶部１４に記憶されている複数の情報データのうちの第１、第２の情報データとは異なる第３の情報データを選択し、その第３の情報データに応じた制御信号をレーザー光照射部１２に出力する。
【００２７】
これにより、第３のステップ４のライザ４ａに第３の情報データに対応する第３の情報である図４に示す「ダメゼッタイ」の文言が蓄光体１０によって表示され、第３のステップ４上の乗客は、第３のステップ４のライザ４ａに表示された第３の情報「ダメセッタイ」を目視することができる。すなわち、ステップ４の乗客は、ステップ４のライザ４ａの「歩行  禁止  ダメゼッタイ」の注意勧告を目視することができる。
【００２８】
このように構成した本実施形態は、距離検出部１１及びレーザー光照射部１２を主枠３内に設けてあり、制御部１３及び情報記憶部１４を機械室の図示しない制御盤内に配置してあることから、ステップ４内及び欄干５に情報表示装置を設けることなく、また、ステップ４上の乗客によって情報を表示するためのレーザー光が遮られずに、ステップ４のライザ４ａに所望の注意勧告の情報を表示することができる。
【００２９】
すなわち本実施形態は、ステップ４のライザ４ａに情報を表示する情報表示装置を、広い作業空間を確保し得る主枠３内において比較的簡単に設置でき、この情報表示装置の設置作業の能率を向上させることができる。また、情報表示装置に含まれる距離検出部１１あるいはレーザー光照射部１２が故障した際の保守作業も主枠３内において容易に行うことができる。また、ステップ４のライザ４ａに対する情報表示精度を高めることができ、ライザ４ａに確実に情報を表示することができる。さらに欄干５の意匠面の美観を損なうことなくライザ４ａに情報を表示することができる。
【００３０】
なお、前述した実施形態では、情報記憶部１４が複数の異なる情報データを記憶しているが、この情報記憶部１４が単一の情報データのみを記憶するものであってもよい。
【００３１】
また、前述した実施形態の構成に加えて、情報記憶部１４に記憶されている情報データを書き換えることが可能な情報データ書き換え部を備えた構成にしてもよい。
【００３２】
また、前述した実施形態にあっては、光照射部がレーザー光照射部１２から成る構成にしてあるが、このレーザー光照射部１２に代えて映像プロジェクタを設けた構成にしてもよい。
【００３３】
このように映像プロジェクタを設けた構成にあっては、距離検出部１１によって主枠３内のステップ４のライザ４ａに対する最大距離Ｌｍａｘと最小距離Ｌｍｉｎの中間の特定距離が検出されたとき、制御部１３の制御によって情報記憶部１４に記憶された情報データに対応する光が、映像プロジェクタからステップ４のライザ４ａの蓄光体１０に対して照射される構成にするとよい。
【００３４】
また、前述した実施形態に備えられたレーザー光照射部１２に代えて、光照射部が、多数のＬＥＤ照明部を有しており、これらのＬＥＤ照明部が選択的に点灯可能なＬＥＤ照射部から成る構成にしてもよい。
【００３５】
このようにＬＥＤ照射部を設けた構成にあっては、距離検出部１１によって主枠３内のステップ４のライザ４ａに対する最大距離Ｌｍａｘと最小距離Ｌｍｉｎの中間の特定距離が検出されたとき、制御部１３の制御によって情報記憶部１４に記憶された情報データに対応するＬＥＤ照明部が点灯し、これらのＬＥＤ照明部の光が、ＬＥＤ照射部からステップ４のライザ４ａの蓄光体１０に対して照射される構成にするとよい。
【００３６】
また、前述した実施形態は、情報データを記憶する情報記憶部１４を備えているが、このような情報記憶部１４を備えずに、情報設定部が、光照射部と、主枠３内に位置するステップ４のライザ４ａとの間に配置されており、ライザ４ａの蓄光体１０に向って情報を表示する光を透過させる光透過部を有する情報スクリーンから成る構成にしてもよい。
【００３７】
本発明は前述した実施形態に限定されず、本発明の要旨を逸脱しない範囲で種々の変形が可能であり、特許請求の範囲に記載された技術思想に含まれる技術的事項の全てが本発明の対象となる。前述した実施形態は、好適な例を示したものであるが、当業者ならば、本明細書に開示の内容から、各種の代替例、修正例、変形例あるいは改良例を実現することができ、これらは添付の特許請求の範囲に記載された技術的範囲に含まれる。
【符号の説明】
【００３８】
１・・エスカレーター、２・・低階床、３・・主枠、４・・ステップ、４ａ・・ライザ、５・・欄干、６・・移動手摺り、１０・・蓄光体、１１・・距離検出部、１２・・レーザー光照射部（光照射部）、１３・・制御部、１４・・情報記憶部（情報設定部）
【図１】
2017206368.tif 000003
【図２】
2017206368.tif 000004
【図３】
2017206368.tif 000005
【図４】
2017206368.tif 000006